(57)【要約】【課題】店舗や施設等の所在地を示す位置データ並びに店舗や施設等を紹介する映像データ、音声データ、又は文字データ等を利用者の位置や嗜好性に応じて配信する。【解決手段】放送番組を指定する番組指定データ、放送番組で放送される店舗や施設等を紹介するコンテンツデータ及び店舗や施設等の所在地を示す位置データを対応付けて記憶しているコンテンツデータ記憶部を備えるデータ配信サーバ１が、携帯電話２から、ユーザＩＤ及び番組指定データが設定された選択データを受信して記憶し、車載情報端末２から、ユーザＩＤが設定されたデータ取得要求を受信し、データ取得要求のユーザＩＤが設定された選択データの番組指定データに対応するコンテンツデータ及び位置データをコンテンツデータ記憶部から取得して車載情報端末２に送信する。【選択図】    図１
2006012045.tif 000002
【特許請求の範囲】
【請求項１】
放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部を備える情報処理装置と、
前記情報処理装置と通信可能な第一のクライアント装置と、
前記情報処理装置と通信可能な第二のクライアント装置と、
を含んで構成される情報処理システムにおいて、前記第一のクライアント装置にデータを配信する方法であって、
前記情報処理装置が、
前記第二のクライアント装置から、ユーザＩＤ及び前記番組指定データが設定された選択データを受信して記憶し、
前記第一のクライアント装置から、前記ユーザＩＤが設定されたデータ取得要求を受信し、
前記データ取得要求の前記ユーザＩＤが設定された前記選択データの前記番組指定データに対応する前記コンテンツデータ及び前記位置データを前記コンテンツデータ記憶部から取得して前記第一のクライアント装置に送信すること、
を特徴とするデータ配信方法。
【請求項２】
請求項１に記載のデータ配信方法であって、
前記情報処理装置は、ユーザＩＤとユーザの嗜好を示す嗜好性データとを対応付けて記憶している嗜好性データ記憶部を備え、
前記情報処理装置が、
前記データ取得要求に応じて前記コンテンツデータ及び前記位置データを前記第一のクライアント装置に送信する際に、当該データ取得要求の前記ユーザＩＤに対応する前記嗜好性データを前記嗜好性データ記憶部から取得し、
当該位置データ及び当該嗜好性データに応じた前記コンテンツデータ及び前記位置データを前記コンテンツデータ記憶部から取得して前記第一のクライアント装置に送信すること、
を特徴とするデータ配信方法。
【請求項３】
請求項１に記載のデータ配信方法であって、
前記情報処理装置は、店舗や施設等の口コミ情報や販促情報等の映像データ、文字データ、又は音声データ等であるリアルタイムデータと、前記リアルタイムデータによって紹介される店舗や施設等の所在地を示す位置データとを対応付けて記憶しているリアルタイムデータ記憶部と、ユーザＩＤとユーザの嗜好を示す嗜好性データとを対応付けて記憶している嗜好性データ記憶部と、を備え、
前記情報処理装置が、
前記データ取得要求に応じて前記コンテンツデータ及び前記位置データを前記第一のクライアント装置に送信する際に、当該データ取得要求の前記ユーザＩＤに対応する前記嗜好性データを前記嗜好性データ記憶部から取得し、
当該位置データ及び当該嗜好性データに応じた前記リアルタイムデータ及び前記位置データを前記リアルタイムデータ記憶部から取得して前記第一のクライアント装置に送信すること、
を特徴とするデータ配信方法。
【請求項４】
放送番組で放送される店舗や施設等を紹介する映像データ、文字データ、又は音声データ等のコンテンツデータ又は店舗や施設等の口コミ情報や販促情報等の映像データ、文字データ、又は音声データ等であるリアルタイムデータと、前記コンテンツデータ又は前記リアルタイムデータによって紹介される店舗や施設等の所在地を示す位置データとを対応付けて記憶している配信データ記憶部と、ユーザＩＤとユーザの嗜好を示す嗜好性データとを対応付けて記憶している嗜好性データ記憶部と、を備える情報処理装置と、
前記情報処理装置と通信可能な第一のクライアント装置と、
を含んで構成される情報処理システムにおいて、前記第一のクライアント装置にデータを配信する方法であって、
前記情報処理装置が、
前記第一のクライアント装置から、前記ユーザＩＤ及び前記位置データが設定された推薦データ取得要求を受信し、
前記推薦データ取得要求の前記ユーザＩＤに対応する前記嗜好性データを前記嗜好性データ記憶部から取得し、
当該嗜好性データ及び前記推薦データ取得要求の前記位置データに応じた前記コンテンツデータ又は前記リアルタイムデータ並びに前記位置データを前記配信データ記憶部から取得して前記第一のクライアント装置に送信すること、
を特徴とするデータ配信方法。
【請求項５】
請求項４に記載のデータ配信方法であって、
前記推薦データ取得要求に設定された前記位置データは、店舗や施設等を指定する物体に付与された識別子であることを特徴とするデータ配信方法。
【請求項６】
放送番組で放送される店舗や施設等を紹介する映像データ、文字データ、又は音声データ等のコンテンツデータ又は店舗や施設等の口コミ情報や販促情報等の映像データ、文字データ、又は音声データ等であるリアルタイムデータと、前記コンテンツデータ又は前記リアルタイムデータによって紹介される店舗や施設等の所在地を示す位置データとを対応付けて記憶している配信データ記憶部と、ユーザＩＤとユーザの嗜好を示す嗜好性データとを対応付けて記憶している嗜好性データ記憶部と、を備える情報処理装置と、
前記情報処理装置と通信可能な第一のクライアント装置と、
前記情報処理装置と通信可能な位置データ取得装置と、
を含んで構成される情報処理システムにおいて、前記第一のクライアント装置にデータを配信する方法であって、
前記情報処理装置が、
前記位置データ取得装置から、前記ユーザＩＤ及び前記位置データが設定された推薦データ取得要求を受信し、
前記推薦データ取得要求の前記ユーザＩＤに対応する前記嗜好性データを前記嗜好性データ記憶部から取得し、
当該嗜好性データ及び前記推薦データ取得要求の前記位置データに応じた前記コンテンツデータ又は前記リアルタイムデータ並びに前記位置データを前記配信データ記憶部から取得して前記第一のクライアント装置に送信すること、
を特徴とするデータ配信方法。
【請求項７】
第一のクライアント装置及び第二のクライアント装置と通信可能に接続され、
放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部と、
前記第二のクライアント装置から、ユーザＩＤ及び前記番組指定データが設定された選択データを受信する選択データ受信部と、
前記選択データ受信部が受信する前記選択データを記憶する選択データ記憶部と、
前記第一のクライアント装置から、前記ユーザＩＤが設定されたデータ取得要求を受信するデータ取得要求受信部と、
前記データ取得要求の前記ユーザＩＤが設定された前記選択データを前記選択データ記憶部から取得する選択データ取得部と、
前記選択データ取得部が取得する前記選択データの前記番組指定データに対応する前記コンテンツデータ及び前記位置データを前記コンテンツデータ記憶部から取得して前記第一のクライアント装置に送信するコンテンツデータ送信部と、
を備えることを特徴とする情報処理装置。
【請求項８】
請求項７に記載の情報処理装置であって、
前記ユーザＩＤとユーザの嗜好を示す嗜好性データとを対応付けて記憶している嗜好性データ記憶部と、
前記データ取得要求の前記ユーザＩＤに対応する前記嗜好性データを前記嗜好性データ記憶部から取得する嗜好性データ取得部と、
を備え、
前記コンテンツデータ送信部は、
前記コンテンツデータ及び前記位置データを前記第一のクライアント装置に送信する際に、当該位置データ及び前記嗜好性データ取得部が取得する前記嗜好性データに応じた前記コンテンツデータ及び前記位置データを前記コンテンツデータ記憶部から取得して前記第一のクライアント装置に送信すること、
を特徴とする情報処理装置。
【請求項９】
請求項７に記載の情報処理装置であって、
店舗や施設等の口コミ情報や販促情報等の映像データ、文字データ、又は音声データ等であるリアルタイムデータと、前記リアルタイムデータによって紹介される店舗や施設等の所在地を示す位置データとを対応付けて記憶しているリアルタイムデータ記憶部と、
前記ユーザＩＤとユーザの嗜好を示す嗜好性データとを対応付けて記憶している嗜好性データ記憶部と、
前記データ取得要求の前記ユーザＩＤに対応する前記嗜好性データを前記嗜好性データ記憶部から取得する嗜好性データ取得部と、
を備え、
前記コンテンツデータ送信部は、
前記コンテンツデータ及び前記位置データを前記第一のクライアント装置に送信する際に、当該位置データ及び前記嗜好性データ取得部が取得する前記嗜好性データに応じた前記リアルタイムデータ及び前記位置データを前記リアルタイムデータ記憶部から取得して前記第一のクライアント装置に送信すること、
を特徴とする情報処理装置。
【請求項１０】
第一のクライアント装置と、
第二のクライアント装置と、
前記第一のクライアント装置及び前記第二のクライアント装置と通信可能に接続され、放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部と、
前記第二のクライアント装置から送信されてくるユーザＩＤ及び前記番組指定データが設定された選択データを記憶している選択データ記憶部と、
を備える情報処理装置と、
を含んで構成される情報処理システムにおける前記第一のクライアント装置であって、
表示装置と、
地図データを記憶している地図データ記憶部と、
前記ユーザＩＤを設定したデータ取得要求を前記情報処理装置に送信するデータ取得要求送信部と、
前記データ取得要求に応じて前記情報処理装置から送信されてくる、前記データ取得要求の前記ユーザＩＤが設定された前記選択データの前記番組指定データに対応する前記コンテンツデータ及び前記位置データを受信する配信データ受信部と、
前記地図データ記憶部に記憶されている地図データに前記配信データ受信部が受信する前記位置データを付加して前記表示装置に表示する位置データ表示部と、
前記配信データ受信部が受信する前記コンテンツデータを前記表示装置に表示する配信データ表示部と、
を備えることを特徴とする第一のクライアント装置。
【請求項１１】
請求項１０に記載の第一のクライアント装置であって、
前記情報処理装置は、前記ユーザＩＤとユーザの嗜好を示す嗜好性データとを対応付けて記憶している嗜好性データ記憶部を備え、
前記配信データ受信部は、
前記情報処理装置から送信されてくる、前記選択データの前記番組指定データに対応する前記位置データ及び前記ユーザＩＤに対応する前記嗜好性データに応じた前記コンテンツデータ及び前記位置データを受信し、
前記位置データ表示部は、
前記地図データに前記配信データ受信部が受信する前記嗜好性データに応じた前記位置データを付加して前記表示装置に表示し、
前記配信データ表示部は、
前記配信データ受信部が受信する前記嗜好性データに応じた前記コンテンツデータを前記表示装置に表示すること、
を特徴とする第一のクライアント装置。
【請求項１２】
請求項１０に記載の第一のクライアント装置であって、
前記情報処理装置は、店舗や施設等の口コミ情報や販促情報等の映像データ、文字データ、又は音声データ等であるリアルタイムデータと、前記リアルタイムデータによって紹介される店舗や施設等の所在地を示す位置データとを対応付けて記憶しているリアルタイムデータ記憶部と、前記ユーザＩＤとユーザの嗜好を示す嗜好性データとを対応付けて記憶している嗜好性データ記憶部と、を備え、
前記配信データ受信部は、
前記情報処理装置から送信されてくる、前記選択データの前記番組指定データに対応する前記位置データ及び前記ユーザＩＤに対応する前記嗜好性データに応じた前記リアルタイムデータ及び前記位置データを受信し、
前記位置データ表示部は、
前記地図データに前記配信データ受信部が受信する前記嗜好性データに応じた前記位置データを付加して前記表示装置に表示し、
前記配信データ表示部は、
前記配信データ受信部が受信する前記嗜好性データに応じた前記リアルタイムデータを前記表示装置に表示すること、
を特徴とする第一のクライアント装置。
【請求項１３】
第一のクライアント装置と、
第二のクライアント装置と、
前記第一のクライアント装置及び前記第二のクライアント装置と通信可能に接続され、放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部と、
前記第二のクライアント装置から送信されてくるユーザＩＤ及び前記番組指定データが設定された選択データを記憶している選択データ記憶部と、
前記第一のクライアント装置から、前記ユーザＩＤが設定されたデータ取得要求を受信するデータ取得要求受信部と、
前記データ取得要求の前記ユーザＩＤが設定された前記選択データの前記番組指定データに対応する前記コンテンツデータ及び前記位置データを前記コンテンツデータ記憶部から取得して前記第一のクライアント装置に送信するコンテンツデータ送信部と、
を備える情報処理装置と、
を含んで構成される情報処理システムにおける前記第二のクライアント装置であって、
入力装置と、
前記入力装置から入力される前記位置データを設定した前記選択データを前記情報処理装置に送信する選択データ送信部と、
を備えることを特徴とする第二のクライアント装置。
【請求項１４】
第一のクライアント装置及び第二のクライアント装置と通信可能に接続され、
放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部を備える情報処理装置に実行させるプログラムであって、
前記第二のクライアント装置から、ユーザＩＤ及び前記番組指定データが設定された選択データを受信するステップと、
受信した前記選択データを所定の選択データ記憶部に記憶するステップと、
前記第一のクライアント装置から、前記ユーザＩＤが設定されたデータ取得要求を受信するステップと、
前記データ取得要求の前記ユーザＩＤが設定された前記選択データを前記選択データ記憶部から取得するステップと、
取得した前記選択データの前記番組指定データに対応する前記コンテンツデータ及び前記位置データを前記コンテンツデータ記憶部から取得して前記第一のクライアント装置に送信するステップと、
を備えることを特徴とするプログラム。
【発明の詳細な説明】
【技術分野】
【０００１】
この発明は、店舗や施設等の所在地を示す位置データ並びに店舗や施設等を紹介する映像データ、音声データ、又は文字データ等を利用者の位置や嗜好性に応じて配信するデータ配信方法、情報処理装置、クライアント装置、及びプログラムに関する。
【背景技術】
【０００２】
テレビ等の放送番組の視聴者は、例えば、その放送番組で紹介されたレストランに行きたいと思うことがある。そのような場合、視聴者はそのレストランの名称をメモしておき、後で情報誌やインターネットの検索サイトを利用して、そのレストランの場所やその他詳細な情報を調べている。そして、車で行く場合であれば、車載情報端末（カーナビゲーション端末）を操作してそのレストランを目的地に設定し、そのレストランに向かう。
【０００３】
また、店舗や施設等を訪問する人は、その店舗や施設等の情報およびその近辺または途上にある店舗や施設等に関する情報を情報誌やインターネットの検索サイト等で調べた上で訪問することが多い。
【０００４】
なお、特許文献１には、利用者の好みに合った情報を車載情報端末に送信する車両用情報提供システムが開示されている。
【特許文献１】特開２００３−１７３４９５号公報
【発明の開示】
【発明が解決しようとする課題】
【０００５】
しかし、放送番組で紹介された店舗や施設等に関する情報を情報誌やインターネットの検索サイトで調べることは手間がかかる。そして、車載情報端末を用いる場合は、調べた情報に基づいて目的地を設定する必要がある。
【０００６】
特許文献１に開示されている車両用情報提供システムにおいては、過去の利用履歴に基づいた情報が配信されるのみであり、放送番組で興味を惹かれた店舗や施設等の情報は配信されない。
【０００７】
また、店舗や施設等を訪れる際に、情報誌やインターネットの検索サイトを利用して店舗や施設等およびその近辺または途上にある店舗や施設等に関する情報を収集することは手間がかかる。その上、その店舗や施設等を訪問した時点の最新情報を入手することができない。
【０００８】
本発明はこのような課題に鑑みてなされたものであり、店舗や施設等の所在地を示す位置データ並びに店舗や施設等を紹介する映像データ、音声データ、又は文字データ等を利用者の位置や嗜好性に応じて配信するデータ配信方法、情報処理装置、クライアント装置、及びプログラムを提供することを目的とする。
【課題を解決するための手段】
【０００９】
上記目的を達成するための本発明のうち請求項１に記載の発明は、放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部を備える情報処理装置と、前記情報処理装置と通信可能な第一のクライアント装置と、  前記情報処理装置と通信可能な第二のクライアント装置と、を含んで構成される情報処理システムにおいて、前記第一のクライアント装置にデータを配信する方法であって、前記情報処理装置が、前記第二のクライアント装置から、ユーザＩＤ及び前記番組指定データが設定された選択データを受信して記憶し、前記第一のクライアント装置から、前記ユーザＩＤが設定されたデータ取得要求を受信し、前記データ取得要求の前記ユーザＩＤが設定された前記選択データの前記番組指定データに対応する前記コンテンツデータ及び前記位置データを前記コンテンツデータ記憶部から取得して前記第一のクライアント装置に送信することとする。
【００１０】
ここで、コンテンツデータとは、放送番組で放送された店舗や施設、出演者が身に付けている洋服や装飾品等を紹介するためのデータである。また、番組指定データとは、地区、チャンネル、放送日・時刻、コード番号等が設定されているデータである。この番組指定データは、コンテンツデータによって紹介される店舗や施設等が、どの放送番組のどの時間帯に放送されたものであるかを特定するためのデータである。なお、番組指定データは、ある放送番組全体を指定するものであってもよいし、放送番組の中で店舗や施設等が紹介された部分のみを指定するものであってもよい。また、第一のクライアント装置とは、車載情報端末や携帯情報端末、携帯電話等である。また、第二のクライアント装置とは、携帯電話やパーソナルコンピュータ、携帯情報端末等である。
【００１１】
情報処理装置は、第二のクライアント装置から選択データを受信し、第一のクライアント装置に対して選択データで指定される放送番組で放送された店舗や施設等を紹介するコンテンツデータとコンテンツデータによって紹介される店舗や施設等の所在地を示す位置データとを配信することができる。
【００１２】
このように、利用者は放送番組の視聴時に興味を引く情報があった場合に、第二のクライアント装置を用いて、視聴した放送番組の情報を情報処理装置に送信しておくだけで、第一のクライアント装置で店舗や施設等の位置や詳細な情報を確認することができる。つまり、放送番組で興味を持った店舗や施設等があった場合に、情報誌やインターネットの検索サイト等を用いてその店舗や施設等の場所や詳細な情報を調べる必要がない。
【００１３】
また、店舗や施設等にとっては、放送番組で紹介されても場所を調べるのが面倒なため行かずじまいになっていた視聴者を新たな顧客として取り込むことができ、売り上げを増やすことができる。そのため、店舗や施設等からテレビ局等の放送事業者に対して広告目的で取材を依頼することが増える。これにより、放送事業者にとっては、店舗や施設等から広告料を得られるとともに、本サービスを運営するサービス事業者から番組素材の提供料を得ることができる。そして、サービス事業者は、利用者及び店舗や施設等からサービス利用料を取得することができる。
【００１４】
また、本発明のうち請求項２に記載の発明は、請求項１に記載のデータ配信方法であって、前記情報処理装置は、ユーザＩＤとユーザの嗜好を示す嗜好性データとを対応付けて記憶している嗜好性データ記憶部を備え、前記情報処理装置が、前記データ取得要求に応じて前記コンテンツデータ及び前記位置データを前記第一のクライアント装置に送信する際に、当該データ取得要求の前記ユーザＩＤに対応する前記嗜好性データを前記嗜好性データ記憶部から取得し、当該位置データ及び当該嗜好性データに応じた前記コンテンツデータ及び前記位置データを前記コンテンツデータ記憶部から取得して前記第一のクライアント装置に送信することとする。
【００１５】
つまり、情報処理装置は、利用者が選択した店舗や施設等の近辺にあり、利用者の嗜好性にあった店舗や施設等のコンテンツデータ及び位置データを第一のクライアント装置に送信する。これにより、利用者は選択した店舗や施設等を訪問する際に、自分の嗜好性にあった近隣の店舗や施設等へも訪問することができる。
【００１６】
このように、利用者が放送番組で興味を惹かれた店舗や施設等の近隣にある店舗や施設等の来客数が増え、個々の店舗や施設等の売り上げが増加し、商店街全体が活性化される。また、ある店舗や施設等が放送番組で紹介されると、その近辺の店舗や施設等から放送事業者に対する広告目的での取材依頼が増え、放送事業者の広告収入が増加する。さらには、サービスを利用する店舗や施設等が増加することにより、サービス事業者が得るサービス利用料も増加する。
【００１７】
また、本発明のうち請求項３に記載の発明は、請求項１に記載のデータ配信方法であって、前記情報処理装置は、店舗や施設等の口コミ情報や販促情報等の映像データ、文字データ、又は音声データ等であるリアルタイムデータと、前記リアルタイムデータによって紹介される店舗や施設等の所在地を示す位置データとを対応付けて記憶しているリアルタイムデータ記憶部と、ユーザＩＤとユーザの嗜好を示す嗜好性データとを対応付けて記憶している嗜好性データ記憶部と、を備え、前記情報処理装置が、前記データ取得要求に応じて前記コンテンツデータ及び前記位置データを前記第一のクライアント装置に送信する際に、当該データ取得要求の前記ユーザＩＤに対応する前記嗜好性データを前記嗜好性データ記憶部から取得し、当該位置データ及び当該嗜好性データに応じた前記リアルタイムデータ及び前記位置データを前記リアルタイムデータ記憶部から取得して前記第一のクライアント装置に送信することとする。
【００１８】
ここで、リアルタイムデータとは、店舗や施設等から発信される販促情報、混雑情報、予約情報や、訪問者からの口コミ情報、開催予定の催事情報、観光地の案内情報、映画や小説等で有名な場所の案内情報等、場所を紹介するためのデータである。
【００１９】
情報処理装置は、利用者が選択した店舗や施設等の近辺にあり、利用者の嗜好性にあった店舗や施設等のリアルタイムデータ及び位置データを第一のクライアント装置に送信する。これにより、利用者は選択した店舗や施設等の近辺にあり、利用者の嗜好性にあった店舗や施設等の位置及び口コミ情報や、店舗や施設等のオーナー等から提供された案内情報、開催予定の催事情報、店舗や施設等の混雑情報・予約情報等を知ることができる。これにより、利用者は選択した店舗や施設等を訪問する際に、自分の嗜好性にあった近隣の店舗や施設等にタイミング良く訪問することができる。
【００２０】
そのため、利用者が放送番組で興味を惹かれた店舗や施設等の近辺の店舗や施設等の来客数が増え、個々の店舗や施設等の売り上げが増加し、商店街全体が活性化される。また、店舗や施設等が本サービスを利用するユーザに対して積極的に販促情報等を発信することにより、店舗や施設等の魅力が高まり、更なる売り上げ増に繋がる。さらには、サービスを利用する店舗や施設等が増加することによって、サービス事業者が得るサービス利用料も増加する。
【００２１】
また、本発明のうち請求項４に記載の発明は、放送番組で放送される店舗や施設等を紹介する映像データ、文字データ、又は音声データ等のコンテンツデータ又は店舗や施設等の口コミ情報や販促情報等の映像データ、文字データ、又は音声データ等であるリアルタイムデータと、前記コンテンツデータ又は前記リアルタイムデータによって紹介される店舗や施設等の所在地を示す位置データとを対応付けて記憶している配信データ記憶部と、ユーザＩＤとユーザの嗜好を示す嗜好性データとを対応付けて記憶している嗜好性データ記憶部と、を備える情報処理装置と、前記情報処理装置と通信可能な第一のクライアント装置と、を含んで構成される情報処理システムにおいて、前記第一のクライアント装置にデータを配信する方法であって、前記情報処理装置が、前記第一のクライアント装置から、前記ユーザＩＤ及び前記位置データが設定された推薦データ取得要求を受信し、前記推薦データ取得要求の前記ユーザＩＤに対応する前記嗜好性データを前記嗜好性データ記憶部から取得し、当該嗜好性データ及び前記推薦データ取得要求の前記位置データに応じた前記コンテンツデータ又は前記リアルタイムデータ並びに前記位置データを前記配信データ記憶部から取得して前記第一のクライアント装置に送信することとする。
【００２２】
情報処理装置は、利用者の位置及び利用者の嗜好性に応じたコンテンツデータ又はリアルタイムデータ並びに位置データを第一のクライアント装置に配信することができる。これにより、利用者は目的とする店舗や施設等に向かう経路上にある、自らの嗜好性にあった店舗や施設等の位置や詳細な情報を確認することができる。そして、利用者は目的とする店舗や施設等へ向かう途中で、自らの嗜好性にあった店舗や施設等に立ち寄ることができる。
【００２３】
そのため、車の通過量が多い幹線道路沿いや人の多い繁華街にあり、コンテンツデータ又はリアルタイムデータがピックアップされる可能性が高い店舗や施設等が、広告目的で放送事業者に対して取材を依頼するようになる。これにより、放送事業者においては、店舗や施設等からの広告収入が増加する。また、店舗や施設等では来客数が増え、売り上げが増加する。さらには、本サービスを利用する店舗や施設等が増加することにより、サービス事業者が得るサービス利用料も増加する。
【００２４】
また、本発明のうち請求項５に記載の発明は、請求項４に記載のデータ配信方法であって、前記推薦データ取得要求に設定された前記位置データは、店舗や施設等を指定する物体に付与された識別子であることとする。
【００２５】
ここで、店舗や施設等を指定する物体とは、レストランのメニューボードや、商店街に設置されたモニュメント、観光地の案内板、テレビドラマで有名な橋の欄干等、店舗や施設等と結びつけられるものであればよい。そして、店舗や施設等のオーナーは、これらのものに番号や名称等を利用者が見ることができるように書いておくだけでよい。そのため、店舗や施設等のオーナーが本サービスを利用するにあたって、位置データを送信するための専用の機器等を購入する必要がなく、サービス加入が促進される。
【００２６】
また、本発明のうち請求項６に記載の発明は、放送番組で放送される店舗や施設等を紹介する映像データ、文字データ、又は音声データ等のコンテンツデータ又は店舗や施設等の口コミ情報や販促情報等の映像データ、文字データ、又は音声データ等であるリアルタイムデータと、前記コンテンツデータ又は前記リアルタイムデータによって紹介される店舗や施設等の所在地を示す位置データとを対応付けて記憶している配信データ記憶部と、ユーザＩＤとユーザの嗜好を示す嗜好性データとを対応付けて記憶している嗜好性データ記憶部と、を備える情報処理装置と、前記情報処理装置と通信可能な第一のクライアント装置と、前記情報処理装置と通信可能な位置データ取得装置と、を含んで構成される情報処理システムにおいて、前記第一のクライアント装置にデータを配信する方法であって、  前記情報処理装置が、前記位置データ取得装置から、前記ユーザＩＤ及び前記位置データが設定された推薦データ取得要求を受信し、前記推薦データ取得要求の前記ユーザＩＤに対応する前記嗜好性データを前記嗜好性データ記憶部から取得し、当該嗜好性データ及び前記推薦データ取得要求の前記位置データに応じた前記コンテンツデータ又は前記リアルタイムデータ並びに前記位置データを前記配信データ記憶部から取得して前記第一のクライアント装置に送信することとする。
【００２７】
ここで、位置データ取得装置とは、自動改札機やＥＴＣゲート等、利用者の位置を取得することができる装置である。情報処理装置は、位置データ取得装置の近辺にあり、利用者の嗜好性に応じたリアルタイムデータ又はコンテンツデータ及び位置データを第一のクライアント装置に配信することができる。このように、利用者は駅や有料道路を利用する際に、自動改札機やＥＴＣゲートの周辺にある店舗や施設等の情報をタイミング良く得ることができる。
【００２８】
また、本発明のうち請求項７に記載の発明は、情報処理装置であって、第一のクライアント装置及び第二のクライアント装置と通信可能に接続され、放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部と、前記第二のクライアント装置から、ユーザＩＤ及び前記番組指定データが設定された選択データを受信する選択データ受信部と、前記選択データ受信部が受信する前記選択データを記憶する選択データ記憶部と、前記第一のクライアント装置から、前記ユーザＩＤが設定されたデータ取得要求を受信するデータ取得要求受信部と、前記データ取得要求の前記ユーザＩＤが設定された前記選択データを前記選択データ記憶部から取得する選択データ取得部と、前記選択データ取得部が取得する前記選択データの前記番組指定データに対応する前記コンテンツデータ及び前記位置データを前記コンテンツデータ記憶部から取得して前記第一のクライアント装置に送信するコンテンツデータ送信部と、を備えることとする。
【００２９】
また、本発明のうち請求項８に記載の発明は、請求項７に記載の情報処理装置であって、前記ユーザＩＤとユーザの嗜好を示す嗜好性データとを対応付けて記憶している嗜好性データ記憶部と、前記データ取得要求の前記ユーザＩＤに対応する前記嗜好性データを前記嗜好性データ記憶部から取得する嗜好性データ取得部と、を備え、前記コンテンツデータ送信部は、前記コンテンツデータ及び前記位置データを前記第一のクライアント装置に送信する際に、当該位置データ及び前記嗜好性データ取得部が取得する前記嗜好性データに応じた前記コンテンツデータ及び前記位置データを前記コンテンツデータ記憶部から取得して前記第一のクライアント装置に送信することとする。
【００３０】
また、本発明のうち請求項９に記載の発明は、請求項７に記載の情報処理装置であって、店舗や施設等の口コミ情報や販促情報等の映像データ、文字データ、又は音声データ等であるリアルタイムデータと、前記リアルタイムデータによって紹介される店舗や施設等の所在地を示す位置データとを対応付けて記憶しているリアルタイムデータ記憶部と、前記ユーザＩＤとユーザの嗜好を示す嗜好性データとを対応付けて記憶している嗜好性データ記憶部と、前記データ取得要求の前記ユーザＩＤに対応する前記嗜好性データを前記嗜好性データ記憶部から取得する嗜好性データ取得部と、を備え、前記コンテンツデータ送信部は、前記コンテンツデータ及び前記位置データを前記第一のクライアント装置に送信する際に、当該位置データ及び前記嗜好性データ取得部が取得する前記嗜好性データに応じた前記リアルタイムデータ及び前記位置データを前記リアルタイムデータ記憶部から取得して前記第一のクライアント装置に送信することとする。
【００３１】
また、本発明のうち請求項１０に記載の発明は、第一のクライアント装置と、第二のクライアント装置と、前記第一のクライアント装置及び前記第二のクライアント装置と通信可能に接続され、放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部と、前記第二のクライアント装置から送信されてくるユーザＩＤ及び前記番組指定データが設定された選択データを記憶している選択データ記憶部と、を備える情報処理装置と、を含んで構成される情報処理システムにおける前記第一のクライアント装置であって、表示装置と、地図データを記憶している地図データ記憶部と、前記ユーザＩＤを設定したデータ取得要求を前記情報処理装置に送信するデータ取得要求送信部と、前記データ取得要求に応じて前記情報処理装置から送信されてくる、前記データ取得要求の前記ユーザＩＤが設定された前記選択データの前記番組指定データに対応する前記コンテンツデータ及び前記位置データを受信する配信データ受信部と、  前記地図データ記憶部に記憶されている地図データに前記配信データ受信部が受信する前記位置データを付加して前記表示装置に表示する位置データ表示部と、前記配信データ受信部が受信する前記コンテンツデータを前記表示装置に表示する配信データ表示部と、を備えることとする。
【００３２】
また、本発明のうち請求項１１に記載の発明は、請求項１０に記載の第一のクライアント装置であって、前記情報処理装置は、前記ユーザＩＤとユーザの嗜好を示す嗜好性データとを対応付けて記憶している嗜好性データ記憶部を備え、前記配信データ受信部は、  前記情報処理装置から送信されてくる、前記選択データの前記番組指定データに対応する前記位置データ及び前記ユーザＩＤに対応する前記嗜好性データに応じた前記コンテンツデータ及び前記位置データを受信し、前記位置データ表示部は、前記地図データに前記配信データ受信部が受信する前記嗜好性データに応じた前記位置データを付加して前記表示装置に表示し、前記配信データ表示部は、前記配信データ受信部が受信する前記嗜好性データに応じた前記コンテンツデータを前記表示装置に表示することとする。
【００３３】
また、本発明のうち請求項１２に記載の発明は、請求項１０に記載の第一のクライアント装置であって、前記情報処理装置は、店舗や施設等の口コミ情報や販促情報等の映像データ、文字データ、又は音声データ等であるリアルタイムデータと、前記リアルタイムデータによって紹介される店舗や施設等の所在地を示す位置データとを対応付けて記憶しているリアルタイムデータ記憶部と、前記ユーザＩＤとユーザの嗜好を示す嗜好性データとを対応付けて記憶している嗜好性データ記憶部と、を備え、前記配信データ受信部は、  前記情報処理装置から送信されてくる、前記選択データの前記番組指定データに対応する前記位置データ及び前記ユーザＩＤに対応する前記嗜好性データに応じた前記リアルタイムデータ及び前記位置データを受信し、前記位置データ表示部は、前記地図データに前記配信データ受信部が受信する前記嗜好性データに応じた前記位置データを付加して前記表示装置に表示し、前記配信データ表示部は、前記配信データ受信部が受信する前記嗜好性データに応じた前記リアルタイムデータを前記表示装置に表示することとする。
【００３４】
また、本発明のうち請求項１３に記載の発明は、第一のクライアント装置と、前記第二のクライアント装置と、前記第一のクライアント装置及び前記第二のクライアント装置と通信可能に接続され、放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部と、前記第二のクライアント装置から送信されてくるユーザＩＤ及び前記番組指定データが設定された選択データを記憶している選択データ記憶部と、前記第一のクライアント装置から、前記ユーザＩＤが設定されたデータ取得要求を受信するデータ取得要求受信部と、前記データ取得要求の前記ユーザＩＤが設定された前記選択データの前記番組指定データに対応する前記コンテンツデータ及び前記位置データを前記コンテンツデータ記憶部から取得して前記第一のクライアント装置に送信するコンテンツデータ送信部と、を備える情報処理装置と、を含んで構成される情報処理システムにおける前記第二のクライアント装置であって、入力装置と、前記入力装置から入力される前記位置データを設定した前記選択データを前記情報処理装置に送信する選択データ送信部と、を備えることとする。
【００３５】
また、本発明のうち請求項１４に記載の発明は、第一のクライアント装置及び第二のクライアント装置と通信可能に接続され、放送番組を指定する番組指定データ、放送番組で放送される店舗や施設等を紹介する映像データ、文字データ、又は音声データ等のコンテンツデータ、及び前記コンテンツデータによって紹介される店舗や施設等の所在地を示す位置データを対応付けて記憶しているコンテンツデータ記憶部を備える情報処理装置に実行させるプログラムであって、前記第二のクライアント装置から、ユーザＩＤ及び前記番組指定データが設定された選択データを受信するステップと、受信した前記選択データを所定の選択データ記憶部に記憶するステップと、前記第一のクライアント装置から、前記ユーザＩＤが設定されたデータ取得要求を受信するステップと、前記データ取得要求の前記ユーザＩＤが設定された前記選択データを前記選択データ記憶部から取得するステップと、取得した前記選択データの前記番組指定データに対応する前記コンテンツデータ及び前記位置データを前記コンテンツデータ記憶部から取得して前記第一のクライアント装置に送信するステップと、を備えることとする。
【発明の効果】
【００３６】
本発明によれば、店舗や施設等の所在地を示す位置データ並びに店舗や施設等を紹介する映像データ、音声データ、又は文字データ等を利用者の位置や嗜好性に応じて配信するデータ配信方法、情報処理装置、クライアント装置、及びプログラムを提供することができる。
【発明を実施するための最良の形態】
【００３７】
＝＝ネットワーク構成＝＝
図１は、本発明の一実施形態であるデータ配信サービスを提供する情報処理システムのネットワーク構成を示す図である。情報処理システムは、データ配信サーバ１、車載情報端末２、携帯電話３、携帯電話４、及び自動改札機５を含んで構成されている。車載情報端末２、携帯電話３、携帯電話４、及び自動改札機５は、携帯電話通信網やインターネット等のネットワーク６を介してデータ配信サーバ１と通信可能である。なお、車載情報端末２は携帯電話７等の通信機器を用いてネットワーク６に接続されている。ここで、データ配信サーバ１は本発明の「情報処理装置」に該当する。また、車載情報端末２及び携帯電話３は本発明の「第一のクライアント装置」に該当する。また、携帯電話４は本発明の「第二のクライアント装置」に該当する。また、自動改札機５は本発明の「位置データ取得装置」に該当する。
【００３８】
＝＝サービス概要＝＝
例えば、テレビ番組でレストランが紹介されると、視聴者はそのレストランに行ってみたいと思う場合がある。このような場合、視聴者は紹介されたレストランの名前等をメモしておき、後で情報誌やインターネットの検索サイト等を用いて場所や評判等の詳細な情報を確認する必要があった。そこで、本サービスでは、このような視聴者に対してテレビ番組等の放送番組で紹介された店舗等の場所やその他の詳細な情報を配信することを主な目的とする。
【００３９】
図２は、本サービスにおけるデータ配信の概要を示す図である。本サービスによって配信されるデータには、大きく分けてモバイルテレビデータ８及びモバイルリアルタイムデータ９の２種類のデータがある。
【００４０】
モバイルテレビデータ８とは、テレビ番組で放送された店舗や施設、出演者が身に付けている洋服や装飾品等を紹介するためのデータである。まず、サービス事業者は、テレビ局から番組進行表と番組素材を入手する。番組進行表には、放送地域、チャンネル番号、及び時間ごとの放送番組が記載されている。番組素材とは、例えば、番組で放送されたレストランの映像をキャプチャした画像やレストランを紹介する一連の動画等の映像データや音声データである。
【００４１】
サービス事業者では、テレビ局から入手した番組素材に、例えば、レストランのお奨めメニューを紹介するための文章等の文字データを付加してコンテンツデータを作成する。さらに、サービス事業者は、コンテンツデータを、番組で放送された日時等の番組指定データ及びその店舗や施設等の所在地の経度・緯度等を示す位置データと対応付けてモバイルテレビデータ８を生成し、データ配信サーバ１に記憶しておく。
【００４２】
モバイルリアルタイムデータ９とは、店舗や施設等から発信される販促情報、混雑情報、予約情報や、訪問者からの口コミ情報、開催予定の催事情報、観光地の案内情報、映画や小説等で有名な場所の案内情報等、場所を紹介するためのデータである。モバイルリアルタイムデータ９には、映像データ、音声データ、文字データ等のリアルタイムデータ、及び店舗や施設等の所在地の経度・緯度等を示す位置データが含まれている。
【００４３】
本サービスでは、これらのモバイルテレビデータ８及びモバイルリアルタイムデータ９を２つの状況において利用者に配信する。１つはテレビ番組と連動したデータ配信、もう１つは場所と連動したデータ配信である。
【００４４】
まず、テレビ番組と連動して利用者にデータを配信する方法の概要について説明する。本サービスに加入している利用者は、テレビ番組で放送された店舗や施設等に興味を惹かれた場合、その店舗や施設等が放送された時間等の情報を携帯電話４で入力してデータ配信サーバ１に送信する（Ｓ２０１）。そして、データ配信サーバ１は、利用者から送信されたチャンネル番号や放送日時に関する情報に基づいて、対象のテレビ番組および店舗や施設等のモバイルテレビデータ８を特定する。このように利用者からの視聴情報によって選択されるモバイルテレビデータ８のことを、選択テレビデータ（選択ＴＶデータ）と称する。利用者が車に乗り込み、車載情報端末２の電源が投入されると、データ配信サーバ１から車載情報端末２に選択ＴＶデータが配信される（Ｓ２０２）。
【００４５】
さらに、データ配信サーバ１は、利用者が過去に選択したテレビ番組の情報等に基づいて利用者の嗜好性を分析する。そして、選択ＴＶデータによって紹介される店舗や施設等の近辺にあり、利用者の嗜好性に合った店舗や施設等のモバイルテレビデータ８を車載情報端末２に配信する（Ｓ２０３）。このように位置や嗜好性に応じて選択されるモバイルテレビデータ８のことを、推薦テレビデータ（推薦ＴＶデータ）と称する。
【００４６】
また、データ配信サーバ１は、選択ＴＶデータによって紹介される店舗や施設等の近辺にあり、利用者の嗜好性に合った店舗や施設等のモバイルリアルタイムデータ８を車載情報端末２に配信する（Ｓ２０４）。このように位置や嗜好性に応じて選択されるモバイルリアルタイムデータ８のことを、推薦リアルタイムデータ（推薦ＲＴデータ）と称する。
【００４７】
図３は、車載情報端末２の電源投入後に表示される画面を示す図である。車載情報端末２の画面には、選択ＴＶデータによって紹介される店舗や施設等の近辺の地図が表示されている。さらに、当該画面には、選択ＴＶデータによって紹介される店舗や施設等の所在地を示すボタン１０、推薦ＴＶデータによって紹介される店舗や施設等の所在地を示すボタン１１，１２、及び推薦ＲＴデータによって紹介される店舗や施設等の所在地を示すボタン１３が表示されている。図４は、車載情報端末２において表示又は再生されるコンテンツデータ又はリアルタイムデータを示す図である。図３のボタン１０〜１３が押下されると、そのボタン１０〜１３によって指定される店舗や施設等を紹介するためのコンテンツデータ又はリアルタイムデータが表示・再生される。
【００４８】
なお、データ配信サーバ１は、移動中の利用者に対して、その位置に応じた推薦ＴＶデータや推薦ＲＴデータを配信することもできる。この場合、車載情報端末２の画面には、現在地周辺の地図が表示され、その地図上に推薦ＴＶデータや推薦ＲＴデータによって紹介される店舗や施設等の所在地を示すボタンが表示される。
【００４９】
次に、場所と連動して利用者にデータを配信する方法の概要について説明する。利用者は、店舗や施設等を訪問した際に、その付近に置かれている「情報オブジェ」に書かれている情報オブジェＩＤを携帯電話３で入力してデータ配信サーバ１に送信する（Ｓ２０５）。
【００５０】
図５は、情報オブジェの一例を示す図である。情報オブジェ１４は、例えば、レストランの店頭に設置されているメニューボードである。そして、情報オブジェ１４には、識別子である情報オブジェＩＤ１５が記されている。なお、情報オブジェＩＤ１５は、数字や記号等の文字情報に限らず、バーコードやＩＣタグ等で表されていても良い。その場合、利用者は携帯電話３を用いてバーコードやＩＣタグ等の情報を読み取ることとする。このように、情報オブジェとは、レストランのメニューボードや、商店街に設置されたモニュメント、観光地の案内板、テレビドラマで有名な橋の欄干等、店舗や施設等と結びつけられるものであれば何でもよい。
【００５１】
データ配信サーバ１は、利用者から送信された情報オブジェＩＤに基づいて、対象の店舗や施設等のモバイルリアルタイムデータ９を特定する。このように利用者から送信された情報オブジェＩＤによって選択されるモバイルリアルタイムデータ９のことを、選択リアルタイムデータ（選択ＲＴデータ）と称する。そして、データ配信サーバ１は、この選択ＲＴデータを利用者の携帯電話３に送信する（Ｓ２０６）。
【００５２】
さらに、データ配信サーバ１は、選択ＲＴデータによって紹介される店舗や施設等の近辺にあり、利用者の嗜好性に合った店舗や施設等の推薦ＲＴデータを携帯電話３に送信する。また、データ配信サーバ１は、選択ＲＴデータによって紹介される店舗や施設等の近辺にあり、利用者の嗜好性に合った推薦ＴＶデータを携帯電話３に送信するようにすることもできる。
【００５３】
また、利用者が自動改札機５を通過した際に、利用者の携帯電話３にデータを配信することもできる。利用者が自動改札機５を通過すると、利用者の識別子が自動改札機５からデータ配信サーバ１に送信される（Ｓ２０７）。そして、データ配信サーバ１は、自動改札機５の近辺にあり、利用者の嗜好性に合った店舗や施設等の推薦ＲＴデータや推薦ＴＶデータを利用者の携帯電話３に送信する（Ｓ２０８）。
【００５４】
利用者の携帯電話３では、データ配信サーバ１から受信する選択ＲＴデータや推薦ＲＴデータに含まれる映像データ、音声データ、又は文字データが表示・再生される。
【００５５】
＝＝ハードウェア構成＝＝
次に、データ配信サーバ１、車載情報端末２、及び携帯電話３，４のハードウェア構成について説明する。
【００５６】
図６は、データ配信サーバ１のハードウェア構成を示す図である。データ配信サーバ１は、ＣＰＵ２０、メモリ２１、記憶装置２２、記録媒体読取装置２３、通信インタフェース２４、入力装置２５、及び出力装置２６を含んで構成されている。
【００５７】
記憶装置２２に記録されているプログラムがメモリ２１に順次格納され、メモリ２１に格納されているプログラムをＣＰＵ２０が実行することにより、データ配信サーバ１の各種機能が実現される。記憶装置２２とは、例えば、ハードディスクドライブ等の記憶装置である。また、記録媒体読読取装置２３は、ＣＤ−ＲＯＭ等の記録媒体２７に記録されているプログラムを読みとり、読み取ったプログラムを記憶装置２２に記録することができる。
【００５８】
通信インタフェース２４は、ネットワーク６を介して車載情報端末２、携帯電話３，４、自動改札機５等とデータを送受信するためのインタフェースである。入力装置２５は、データを入力するための装置であり、例えば、キーボードやマウス等である。また、出力装置２６は、データを出力するための装置であり、例えば、ディスプレイやプリンタ等である。
【００５９】
図７は、車載情報端末２のハードウェア構成を示す図である。車載情報端末２は、ＣＰＵ３０、メモリ３１、ＧＰＳアンテナ３２、記録媒体読取装置３３、記録媒体３４、ディスプレイ３５、入力装置３６、スピーカ３７、及び通信インタフェース３８を含んで構成されている。
【００６０】
ＣＰＵ３０がメモリ３１に格納されているプログラムを実行することにより、車載情報端末２の各種機能が実現される。ＧＰＳアンテナ３２は、人工衛星からの電波を受信することによって移動体の位置を測定するためのアンテナである。記録媒体読取装置３３は、ＤＶＤ−ＲＯＭ等の記録媒体３４に記録されている地図データ等を読み取るための装置である。ディスプレイ３５は、地図データや各種データを表示するための装置である。なお、地図データ等はハードディスクドライブ等の記憶装置に記録されていることとしてもよい。
【００６１】
入力装置３６は利用者が目的地を設定する際等にデータを入力するための装置であり、ボタンやジョイスティック、ディスプレイ３５に貼り付けられたタッチパネル等である。スピーカ３７は音声を出力するための装置である。通信インタフェース３８は、携帯電話７等を用いてネットワーク６を介してデータ配信サーバ１とデータの送受信を行うためのインタフェースである。
【００６２】
図８は、携帯電話３，４のハードウェア構成を示す図である。携帯電話３，４は、ＣＰＵ４０、メモリ４１、アンテナ４２、無線回路４３、ベースバンドＬＳＩ４４、ディスプレイ４５、入力キー４６、マイク４７、スピーカ４８等を含んで構成されている。ＣＰＵ４０は携帯電話３，４の全体の制御を司るものであり、ＣＰＵ４０がメモリ４１に格納されているプログラムを実行することにより、各種の機能が実現される。無線回路４３は、アンテナ４２を介してデータを無線で送受信するための回路である。ベースバンドＬＳＩ４４は、送受信されるデータに対する各種の信号処理を行う集積回路である。ディスプレイ４５は、映像データや文字データ等を表示するための装置である。また、入力キー４６は電話番号や文字を入力するためのボタン等である。マイク４７は、利用者の話し声等を取得するための装置である。スピーカ４８は、通話する相手の音声や、その他の音声を出力するための装置である。
【００６３】
＝＝機能構成＝＝
次に、データ配信サーバ１、車載情報端末２、及び携帯電話４が備える機能について説明する。
【００６４】
図９は、データ配信サーバ１が備える機能を示す図である。データ配信サーバ１は、選択データ受信部５０、データ取得要求受信部５１，選択データ取得部５２、推薦データ取得要求受信部５３、嗜好性データ取得部５４、コンテンツデータ送信部５５、リアルタイムデータ送信部５６、配信データ記憶部５７、選択データ記憶部５８、嗜好性データ記憶部５９、及びユーザデータ記憶部６０を備えている。また、配信データ記憶部５７は、コンテンツデータ記憶部６１及びリアルタイムデータ記憶部６２を含んでいる。
【００６５】
選択データ受信部５０は、利用者の携帯電話４から送信されてくる、放送番組を指定するための番組指定データ及び利用者を識別するためのユーザＩＤが設定された選択データを受信する。選択データ受信部５０が受信した選択データは選択データ記憶部５８に記憶される。
【００６６】
データ取得要求受信部５１は、車載情報端末２や携帯電話３から送信されてくる、選択データで指定した放送番組に対応するコンテンツデータや情報オブジェに対応するリアルタイムデータ等を取得するためのデータ取得要求を受信する。選択データ取得部５２は、データ取得要求受信部５１が受信するデータ取得要求に設定されているユーザＩＤに対応する選択データを選択データ記憶部５８から取得する。
【００６７】
推薦データ取得要求受信部５３は、車載情報端末２、携帯電話３、又は自動改札機５から送信されてくる、利用者の位置及び嗜好性に応じたコンテンツデータ又はリアルタイムデータ等を取得するための推薦データ取得要求を受信する。嗜好性データ取得部５４は、利用者の嗜好を示すデータである嗜好性データを嗜好性データ記憶部５９から取得する。
【００６８】
コンテンツデータ送信部５５は、コンテンツデータ記憶部６１に記憶されているコンテンツデータ及びコンテンツデータによって紹介される店舗や施設等の所在地を示す位置データを車載情報端末２や携帯電話３に送信する。リアルタイムデータ送信部５６は、リアルタイムデータ記憶部６２に記憶されているリアルタイムデータ及びリアルタイムデータによって紹介される店舗や施設等の所在地を示す位置データを車載情報端末２や携帯電話３に送信する。
【００６９】
各機能５０〜５６は、データ配信サーバ１のＣＰＵ２０がメモリ２１に格納されているプログラムを実行することにより実現される。また、配信データ記憶部５７、選択データ記憶部５８、嗜好性データ記憶部５９、及びユーザデータ記憶部６０は、メモリ２１や記憶装置２２を用いて実現される。各記憶部５７〜６０に記憶されるデータの詳細については後述する。
【００７０】
図１０は、車載情報端末２が備える機能を示す図である。車載情報端末２は、地図データ記憶部７０、データ取得要求送信部７１、推薦データ取得要求送信部７２、配信データ受信部７３、位置データ表示部７４、及び配信データ表示部７５を備えている。
【００７１】
地図データ記憶部７０は、ディスプレイ３５に表示される地図データを記憶している。データ取得要求送信部７１は、利用者が携帯電話４から送信した選択データに対応するコンテンツデータを取得するためのデータ取得要求をデータ配信サーバ１に送信する。なお、データ取得要求は、車載情報端末２の電源が投入された後、利用者からの指示を受けずに送信されることとしてもよいし、利用者からの指示を受けて送信されることとしてもよい。
【００７２】
推薦データ取得要求送信部７２は、利用者の位置に応じたコンテンツデータやリアルタイムデータを取得するための推薦データ取得要求をデータ配信サーバ１に送信する。この推薦データ取得要求は、利用者からの指示を受けずに所定の間隔でデータ配信サーバ１に送信されることとしてもよいし、利用者からの指示を受けて送信されることとしてもよい。
【００７３】
配信データ受信部７３は、データ配信サーバ１から送信されてくるコンテンツデータ、リアルタイムデータ、及び位置データを受信する。位置データ表示部７４は、配信データ受信部７３が受信する位置データを地図データ記憶部に記憶されている地図データに付加してディスプレイ３５に表示する。また、配信データ表示部７５は、配信データ受信部７３が受信するコンテンツデータ又はリアルタイムデータのディスプレイ３５に表示又は再生する。また、配信データ表示部７５はコンテンツデータ又はリアルタイムデータに音声データが含まれている場合は、スピーカ３７に音声を出力する。
【００７４】
各機能７１〜７５は、車載情報端末２のＣＰＵ３０がメモリ３１に格納されているプログラムを実行することにより実現される。地図データ記憶部７０は記録媒体読取装置３３及び記録媒体３４を用いて実現される。なお、前述したように地図データ記憶部７０はハードディスクドライブ等の記憶装置を用いて実現することもできる。
【００７５】
図１１は、携帯電話４が備える機能を示す図である。携帯電話４は選択データ送信部８０を備えている。選択データ送信部８０は、利用者によって入力される興味を惹かれた放送番組を指定するための選択データをデータ配信サーバ１に送信する。選択データ送信部８０は、ＣＰＵ４０がメモリ４１に格納されているプログラムを実行することにより実現される。
【００７６】
＝＝データ構造＝＝
次に、データ配信サーバの配信データ記憶部５７、選択データ記憶部５８、嗜好性データ記憶部５９、及びユーザデータ記憶部６０に記憶されるデータの構造について説明する。
【００７７】
図１２は、配信データ記憶部５７のコンテンツデータ記憶部６１に記憶されているデータの構造を示す図である。コンテンツデータ記憶部６１には、番組指定データ、コンテンツデータ、位置データ、及び属性データが対応付けられて記憶されている。
【００７８】
コンテンツデータは、放送番組で放送された店舗、施設、出演者が身に付けていた装飾品等を紹介するための映像データ、文字データ、又は音声データ等で構成されている。映像データや音声データは放送番組で放送された映像や音声の一部をキャプチャしたもの等である。また、文字データは、その店舗や施設等を紹介するためのものである。このコンテンツデータは、例えば、ＢＭＬ（Broadcast Markup Language）を用いて記述することもできる。
【００７９】
番組指定データには、地区、チャンネル、放送日・時刻、コード番号等が設定されている。この番組指定データは、コンテンツデータによって紹介される店舗や施設等が、どの放送番組のどの時間帯に放送されたものであるかを特定するためのデータである。なお、番組指定データは、ある放送番組全体を指定するものであってもよいし、放送番組の中で店舗や施設等が紹介された部分のみを指定するものであってもよい。
【００８０】
図１３は、放送番組の中のあるコーナーを指定する場合の番組指定データとコンテンツデータとの関係を示す図である。データ配信サーバ１のコンテンツデータ記憶部６１には、「○×情報番組」という放送番組８１の中の「○×料理店紹介」というレストランの紹介コーナー８２の番組指定データと、そのレストランを紹介するコンテンツデータ８３とが対応付けて記憶されている。ここで、この番組指定データには、「地域：東京、チャンネル：１ＣＨ、放送日：１１月１日、放送時刻：１２時６分３０秒〜１２時１４分５９秒、コード番号：Ｒ００１」と設定されている。そして、利用者からこのレストランを指定するための番組指定データ８４が送信されてくる。この番組指定データ８４には、「地区：東京、チャンネル：１ＣＨ、放送日：１１月１日、放送時刻：１２時７分」と設定されている。データ配信サーバ１は、コンテンツデータ記憶部６１に記憶されている番組指定データのうちで、利用者から送信されてきた番組指定データ８４の条件に合うものを特定し、対応するコンテンツデータ８３を取得する。なお、放送番組全体を指定する場合であれば、Ｇコード（登録商標）やＥＰＧ（Electric Program Guide）の番組コードを番組指定データとして用いることも可能である。
【００８１】
位置データには、コンテンツデータによって紹介される店舗や施設等の所在地を示す経度・緯度等のデータが設定されている。なお、コンテンツデータが放送番組の出演者が身に付けていた装飾品やあるシーンで使われた小物等を紹介するものである場合、位置データには、その装飾品や小物等を取り扱っている店舗等の所在地を示すデータが設定されている。
【００８２】
また、属性データには、コンテンツデータによって紹介される店舗や施設等のカテゴリや、その店舗や施設等の格付け情報を示すグレードが設定されている。カテゴリとは、例えば、イタリア料理店、アジア雑貨、遊園地等、その店舗や施設等の種類を示す情報である。また、グレードとは、店舗や施設等のサービス内容や商品価格等に応じて格付けされた情報である。
【００８３】
図１４は、配信データ記憶部５７のリアルタイムデータ記憶部６２に記憶されているデータの構造を示す図である。リアルタイムデータ記憶部６２には、リアルタイムデータ、位置データ、及び属性データが対応付けられて記憶されている。
【００８４】
リアルタイムデータは、店舗や施設等から発信される販促情報、混雑情報、予約情報や、訪問者からの口コミ情報、開催予定の催事情報、観光地の案内情報、映画や小説等で有名な場所の案内情報等、場所を紹介するための映像データ、文字データ、又は音声データ等である。このリアルタイムデータについても、コンテンツデータと同様にＢＭＬを用いて記述することも可能である。
【００８５】
位置データには、リアルタイムデータによって紹介される店舗や施設等の所在地を示す経度・緯度や、その店舗や施設等と結びつけられた情報オブジェに付与された情報オブジェＩＤが設定されている。また、属性データには、リアルタイムデータによって紹介される店舗や施設等のカテゴリが設定されている。例えば、リアルタイムデータによって紹介されるものが映画で有名な場所である場合、カテゴリにはその映画のジャンルや監督・出演者の名前等が設定されている。
【００８６】
図１５は、選択データ記憶部５８に記憶されているデータの構造を示す図である。選択データ記憶部５８には、携帯電話４から送信されてくる放送番組を指定するための番組指定データとユーザＩＤとが対応付けられて記憶されている。なお、番組指定データには、放送番組を指定可能なデータが設定されていれば良く、地区、チャンネル、放送日・時刻、コード番号の全てが設定されている必要はない。例えば、番組指定データとして、コード番号のみが設定されていることとしてもよい。
【００８７】
図１６は、嗜好性データ記憶部５９に記憶されているデータの構造を示す図である。嗜好性データ記憶部５８には、利用者の嗜好を示すデータである嗜好性データとユーザＩＤとが対応付けられて記憶されている。嗜好性データとは、例えば、コンテンツデータやリアルタイムデータによって紹介される店舗や施設等のカテゴリである。この嗜好性データは、例えば、利用者が過去に選択したコンテンツデータやリアルタイムデータのカテゴリに基づいて求めることができる。また、コンテンツデータやリアルタイムデータの選択の傾向が類似する利用者が選択したコンテンツデータやリアルタイムデータのカテゴリに基づいて求めることもできる。特開平１０−２２８４８７号公報には、ユーザが過去に選択した嗜好に関するデータやユーザと類似する選択をしている類似ユーザが過去に選択した嗜好に基づいてユーザの嗜好を学習・予測する方式が開示されている。なお、嗜好性データとして、カテゴリの他に、店舗や施設等のグレードを用いることも可能である。
【００８８】
図１７は、ユーザデータ記憶部６０に記憶されているデータの構造を示す図である。ユーザデータ記憶部６０には、利用者のユーザＩＤ、氏名、携帯電話３のメールアドレス、住所、電話番号、性別、職業等が記憶されている。
【００８９】
＝＝放送番組選択＝＝
図１８は、利用者が興味を惹かれた放送番組に関する情報を入力する際に携帯電話４に表示される画面を示す図である。まず、利用者は図１８（ａ）の画面にて、本サービスを利用するためのユーザＩＤを入力エリア８５に入力する。そして、利用者が送信ボタン８６を押下すると、携帯電話４は入力されたユーザＩＤをデータ配信サーバ１に送信する。
【００９０】
そして、データ配信サーバ１において、当該ユーザＩＤが有効であることが確認されると、図１８（ｂ）のチャンネル選択画面が表示される。利用者は、指定する放送番組のチャンネル番号を選択する。続いて、利用者は図１８（ｃ）の日時入力画面において、その放送番組の放送日及び放送時刻を入力エリア８７，８８に入力し、送信ボタン８９を押下する。送信ボタン８９が押下されると、携帯電話４は入力されたチャンネル番号、放送日、放送時刻を設定した選択データをデータ配信サーバ１に送信する。携帯電話４は、利用者が指定した放送番組の番組タイトル及び店舗や施設等を示す選択情報をデータ配信サーバ１から受信し、図１８（ｄ）の画面に表示する。
【００９１】
なお、放送番組を指定する方法は、このように携帯電話４を用いて手入力する方法に限られない。例えば、携帯電話４がテレビ放送の受信機能を備えている場合であれば、利用者は携帯電話４で放送番組を視聴している際に、興味を惹かれた放送番組に関する情報をその携帯電話４を用いて指定することができる。図１９は、テレビ放送の受信機能を備える携帯電話４のディスプレイ４５に表示されている放送番組の映像９０を示す図である。利用者はこの映像９０で紹介されている店舗や施設等を指定したい場合は、ディスプレイ４５に表示された選択メニュー９１を選択する。選択メニュー９１が選択されると、携帯電話４は、ディスプレイ４５に表示されている放送番組のチャンネル番号、放送日、放送時刻を選択データに設定してデータ配信サーバ１に送信する。
【００９２】
また、例えば、テレビの映像に設定された電子透かし等の情報を用いて放送番組を指定することも可能である。図２０は、テレビ受像器９２に表示されている放送番組の映像９３を示す図である。この映像９３には、放送番組に関する情報が設定された電子透かし９４が含まれている。利用者は映像９３で紹介されている店舗や施設等を指定したい場合は、カメラ機能を備える携帯電話４を用いて電子透かし９４を読みとる。そして、携帯電話４は、電子透かし９４から読み取った放送番組のチャンネル番号、放送日、放送時刻を選択データに設定してデータ配信サーバ１に送信する。
【００９３】
＝＝情報オブジェ選択＝＝
図２１は、利用者が情報オブジェを選択する際に携帯電話４に表示される画面を示す図である。まず、利用者は図２１（ａ）の画面にて、本サービスを利用するためのユーザＩＤを入力エリア９５に入力する。そして、利用者が送信ボタン９６を押下すると、携帯電話４は入力されたユーザＩＤをデータ配信サーバ１に送信する。
【００９４】
そして、データ配信サーバ１において、当該ユーザＩＤが有効であることが確認されると、図２１（ｂ）の情報オブジェ選択画面が表示される。利用者は、選択する情報オブジェに付与された情報オブジェＩＤを入力エリア９７に入力し、送信ボタン９８を押下する。そして、携帯電話４は、利用者によって入力された情報オブジェＩＤをデータ配信サーバ１に送信する。ここで、利用者によって入力された情報オブジェＩＤをデータ配信サーバ１に記憶しておくことにより、店舗や施設等の利用頻度等の評価を行うこともできる。
【００９５】
また、利用者は、図２１（ｃ）の情報オブジェ評価画面にて、情報オブジェに対応する店舗や施設等を利用した感想や、店舗や施設等への要望等の評価情報を入力することができる。ここで入力された情報は、携帯電話４からデータ配信サーバ１に送信され、データ配信サーバ１のリアルタイムデータ記憶部６２に記憶される。このように、利用者から入力された評価情報は、他の利用者に対してリアルタイムデータとして配信するだけでなく、店舗や施設、催事等の評価を行うために用いることができる。
【００９６】
＝＝選択データ受信＝＝
図２２は、データ配信サーバ１が携帯電話４から送信されてくる選択データを受信する流れを示すフローチャートである。まず、利用者が携帯電話４を用いて放送番組を指定するための情報を入力する（Ｓ２２０１）。そして、携帯電話４の選択データ送信部８０は、ユーザＩＤ及び放送番組を指定するための番組指定データを設定した選択データを生成してデータ配信サーバ１に送信する（Ｓ２２０２）。  
データ配信サーバ１の選択データ受信部５０は、携帯電話４から送信されてくる選択データを受信し（Ｓ２２０３）、受信した選択データを選択データ記憶部５８に記憶する（Ｓ２２０４）。
【００９７】
＝＝選択ＴＶデータ配信＝＝
図２３は、データ配信サーバ１が車載情報端末２に選択ＴＶデータを配信する流れを示すフローチャートである。まず、利用者が自動車に乗り込んでキーを回すと（Ｓ２３０１）、車載情報端末２の電源が投入される（Ｓ２３０２）。そして、車載情報端末２のデータ取得要求送信部７１は、ユーザＩＤを設定したデータ取得要求をデータ配信サーバ１に送信する（Ｓ２３０３）。
【００９８】
データ配信サーバ１のデータ取得要求受信部５１は、車載情報端末２から送信されてくるデータ取得要求を受信する（Ｓ２３０４）。そして、データ配信サーバ１の選択データ取得部５２は、データ取得要求に設定されているユーザＩＤに対応する選択データを選択データ記憶部５８から取得する（Ｓ２３０５）。データ配信サーバ１のコンテンツデータ送信部５５は、当該選択データに設定されている番組指定データに対応する位置データ及びコンテンツデータ（選択ＴＶデータ）をコンテンツデータ記憶部６１から取得して（Ｓ２３０６）、車載情報端末２に送信する（Ｓ２３０７）。
【００９９】
車載情報端末２の配信データ受信部７３は、データ配信サーバ１から送信されてくる位置データ及びコンテンツデータを受信する（Ｓ２３０８）。そして、車載情報端末２の位置データ表示部７４は、地図データ記憶部７０に記憶されている地図データに当該位置データを付加してディスプレイ３５に表示する（Ｓ２３０９）。利用者がディスプレイ３５に表示された当該位置データに対応するボタンを選択すると（Ｓ２３１０）、車載情報端末２の配信データ表示部７５は、コンテンツデータをディスプレイ３５に表示又は再生する（Ｓ２３１１）。また、コンテンツデータに音声データが含まれている場合は、配信データ表示部７５はスピーカ３７に音声を出力する。
【０１００】
そして、データ配信サーバ１は、車載情報端末２に推薦ＴＶデータ及び推薦ＲＴデータを配信するための推薦データ配信処理を実行する（Ｓ２３１２）。
【０１０１】
＝＝推薦データ配信（１）＝＝
図２４は、データ配信サーバ１における、選択ＴＶデータによって紹介される店舗や施設等の近辺にあり、利用者の嗜好性に合った店舗や施設等の推薦ＴＶデータ及び推薦ＲＴデータを車載情報端末２に配信する処理（Ｓ２３１２）の流れを示すフローチャートである。
【０１０２】
データ配信サーバ１の嗜好性データ取得部５４は、Ｓ２３０４で受信したデータ取得要求に設定されているユーザＩＤに対応する嗜好性データを嗜好性データ記憶部５９から取得する（Ｓ２４０１）。そして、データ配信サーバ１のコンテンツデータ送信部５５は、当該嗜好性データとＳ２３０６で取得した位置データとに応じた位置データ及びコンテンツデータ（推薦ＴＶデータ）をコンテンツデータ記憶部６１から取得する（Ｓ２４０２）。この推薦ＴＶデータは、選択ＴＶデータで紹介される店舗や施設等の位置から所定の範囲にあり、かつ、利用者の嗜好性に適合する店舗や施設等の位置データ及びコンテンツデータである。
【０１０３】
そして、データ配信サーバ１のコンテンツデータ送信部５５は取得した位置データ及びコンテンツデータを車載情報端末２に送信する（Ｓ２４０３）。車載情報端末２の配信データ受信部７３は、データ配信サーバ１から送信されてくる位置データ及びコンテンツデータを受信する（Ｓ２４０４）。
【０１０４】
さらに、データ配信サーバ１のリアルタイムデータ送信部５６は、Ｓ２４０２で取得した嗜好性データとＳ２３０６で取得した位置データとに応じた位置データ及びリアルタイムデータ（推薦ＲＴデータ）をリアルタイムデータ記憶部６２から取得する（Ｓ２４０５）。この推薦ＲＴデータは、選択ＴＶデータで紹介される店舗や施設等の位置から所定の範囲にあり、かつ、利用者の嗜好性に適合する店舗や施設等の位置データ及びリアルタイムデータである。
【０１０５】
そして、データ配信サーバ１のリアルタイムデータ送信部５６は取得した位置データ及びリアルタイムデータを車載情報端末２に送信する（Ｓ２４０６）。車載情報端末２の配信データ受信部７３は、データ配信サーバ１から送信されてくる位置データ及びリアルタイムデータを受信する（Ｓ２４０７）。
【０１０６】
車載情報端末２の位置データ表示部７４は、地図データ記憶部７０に記憶されている地図データにＳ２４０４及びＳ２４０７で受信した位置データを付加してディスプレイ３５に表示する（Ｓ２４０８）。利用者がディスプレイ３５に表示された当該位置データに対応するボタンを選択すると（Ｓ２４０９）、車載情報端末２の配信データ表示部７５は選択された位置データに対応するコンテンツデータ又はリアルタイムデータをディスプレイ３５に表示又は再生する（Ｓ２４１０）。また、コンテンツデータ又はリアルタイムデータに音声データが含まれている場合は、配信データ表示部７５はスピーカ３７に音声を出力する。
【０１０７】
＝＝推薦データ配信（２）＝＝
図２５は、データ配信サーバ１における、利用者の位置及び嗜好性に応じた推薦ＴＶデータ及び推薦ＲＴデータを車載情報端末２に配信する流れを示すフローチャートである。利用者は自動車で目的地に移動している際等に、車載情報端末２に表示されている推薦ＴＶデータ又は推薦ＲＴデータを取得するためのボタンを押下する（Ｓ２５０１）。そして、車載情報端末２の推薦データ取得要求送信部７２は、利用者のユーザＩＤ及びＧＰＳアンテナ３２によって測定される位置データを設定した推薦データ取得要求をデータ配信サーバ１に送信する（Ｓ２５０２）。
【０１０８】
データ配信サーバ１の推薦データ取得要求受信部５３は、車載情報端末１から送信されてくる推薦データ取得要求を受信する（Ｓ２５０３）。そして、データ配信サーバ１の嗜好性データ取得部５４は、当該推薦データ取得要求に設定されているユーザＩＤに対応する嗜好性データを嗜好性データ記憶部５９から取得する（Ｓ２５０４）。そして、データ配信サーバ１のコンテンツデータ送信部５５は、当該嗜好性データと当該推薦データ取得要求に設定されている位置データとに応じた位置データ及びコンテンツデータ（推薦ＴＶデータ）をコンテンツデータ記憶部６１から取得する（Ｓ２５０５）。この推薦ＴＶデータは、利用者の位置から所定の範囲にあり、かつ、利用者の嗜好性に適合する店舗や施設等の位置データ及びコンテンツデータである。
【０１０９】
そして、データ配信サーバ１のコンテンツデータ送信部５５は取得した位置データ及びコンテンツデータを車載情報端末２に送信する（Ｓ２５０６）。車載情報端末２の配信データ受信部７３は、データ配信サーバ１から送信されてくる位置データ及びコンテンツデータを受信する（Ｓ２５０７）。
【０１１０】
さらに、データ配信サーバ１のリアルタイムデータ送信部５６は、Ｓ２５０４で取得した嗜好性データと当該推薦データ取得要求に設定されている位置データとに応じた位置データ及びリアルタイムデータ（推薦ＲＴデータ）をリアルタイムデータ記憶部６２から取得する（Ｓ２５０８）。この推薦ＲＴデータは、利用者の位置から所定の範囲にあり、かつ、利用者の嗜好性に適合する店舗や施設等の位置データ及びリアルタイムデータである。
【０１１１】
そして、データ配信サーバ１のリアルタイムデータ送信部５６は取得した位置データ及びリアルタイムデータを車載情報端末２に送信する（Ｓ２５０９）。車載情報端末２の配信データ受信部７３は、データ配信サーバ１から送信されてくる位置データ及びリアルタイムデータを受信する（Ｓ２５１０）。
【０１１２】
車載情報端末２の位置データ表示部７４は、地図データ記憶部７０に記憶されている地図データにＳ２５０７及びＳ２５１０で受信した位置データを付加してディスプレイ３５に表示する（Ｓ２５１１）。利用者がディスプレイ３５に表示された当該位置データに対応するボタンを選択すると（Ｓ２５１２）、車載情報端末２の配信データ表示部７５は選択された位置データに対応するコンテンツデータ又はリアルタイムデータをディスプレイ３５に表示又は再生する（Ｓ２５１３）。また、コンテンツデータ又はリアルタイムデータに音声データが含まれている場合は、配信データ表示部７５はスピーカ３７に音声を出力する。
【０１１３】
なお、推薦データ取得要求送信部７２は、利用者からの指示によらず所定のタイミングで推薦データ取得要求を生成してデータ配信サーバ１に送信することとしてもよい。また、推薦データ取得要求に設定される位置データは、ＧＰＳアンテナ３２によって測定される利用者の現在地を示すデータに限らず、利用者がディスプレイ３５に表示された地図データから選択した任意の場所を示すデータであってもよい。
【０１１４】
＝＝選択ＲＴデータ配信＝＝
図２６は、データ配信サーバ１が、利用者が選択した情報オブジェに対応する選択ＲＴデータを携帯電話３に配信する流れを示すフローチャートである。まず、利用者は携帯電話３を用いて情報オブジェＩＤを入力する（Ｓ２６０１）。携帯電話３は、利用者のユーザＩＤ及び情報オブジェＩＤを設定したデータ取得要求をデータ配信サーバ１に送信する（Ｓ２６０２）。
【０１１５】
データ配信サーバ１のデータ取得要求受信部５１は、携帯電話３から送信されてくるデータ取得要求を受信する（Ｓ２６０３）。そして、データ配信サーバ１のリアルタイムデータ送信部５６は、当該データ取得要求に設定されている情報オブジェＩＤに対応するリアルタイムデータをリアルタイムデータ記憶部６２から取得して（Ｓ２６０５）、携帯電話３に送信する（Ｓ２６０５）。携帯電話３は、データ配信サーバ１から送信されてくるリアルタイムデータを受信し（Ｓ２６０６）、当該リアルタイムデータの表示・再生を行う（Ｓ２６０７）。
【０１１６】
そして、データ配信サーバ１は、携帯電話３に推薦ＲＴデータを配信するための推薦データ配信処理を実行する（Ｓ２６０８）。
【０１１７】
＝＝推薦ＲＴデータ配信（１）＝＝
図２７は、データ配信サーバ１が、利用者が選択した情報オブジェの近辺にあり、利用者の嗜好性に応じた推薦ＲＴデータを携帯電話３に配信する処理（Ｓ２６０８）の流れを示すフローチャートである。
【０１１８】
データ配信サーバ１の嗜好性データ取得部５４は、Ｓ２６０３で受信したデータ取得要求に設定されているユーザＩＤに対応する嗜好性データを嗜好性データ記憶部５９から取得する（Ｓ２７０１）。そして、データ配信サーバ１のリアルタイムデータ送信部５６は、当該嗜好性データとＳ２６０３で受信したデータ取得要求に設定されている情報オブジェＩＤに対応する位置データとに応じた位置データ及びリアルタイムデータ（推薦ＲＴデータ）をリアルタイムデータ記憶部６２から取得する（Ｓ２７０２）。
【０１１９】
そして、データ配信サーバ１のリアルタイムデータ送信部５６は取得した位置データ及びリアルタイムデータを携帯電話３に送信する（Ｓ２７０３）。携帯電話３は、データ配信サーバ１から送信されてくる位置データ及びリアルタイムデータを受信し（Ｓ２７０５）、当該位置データ及び当該リアルタイムデータの表示等を行う（Ｓ２７０５）。
【０１２０】
なお、データ配信サーバ１は、図２５に示した推薦データ配信処理と同様に、情報オブジェの近辺にあり、利用者の嗜好性に応じた推薦ＴＶデータを配信することも可能である。
【０１２１】
また、本処理で携帯電話３に配信される推薦ＲＴデータは、利用者が選択した情報オブジェに対応する店舗や施設等の位置から所定の範囲にあり、かつ、利用者の嗜好性に適合する店舗や施設等の位置データ及びリアルタイムデータである。つまり、情報オブジェＩＤが設定されたデータ取得要求は、図２５に示した推薦データ配信処理における推薦データ取得要求と同様のデータであると見なすことができる。そして、携帯電話３は、選択ＲＴデータを取得するためのデータ取得要求（Ｓ２６０２）とは別に、情報オブジェＩＤを設定した推薦データ取得要求を送信することとしてもよい。
【０１２２】
そして、携帯電話３は、ＧＰＳ機能を備えている場合であれば、ＧＰＳ機能によって取得する位置データを設定した推薦データ取得要求を送信することもできる。また、携帯電話３は、携帯電話の基地局等から取得する位置データを設定した推薦データ取得要求を送信することも可能である。このような推薦データ取得要求は、利用者からの指示によって携帯電話３が送信することとしてもよいし、利用者からの指示によらずに所定のタイミングで携帯電話３が送信することとしてもよい。
【０１２３】
＝＝推薦ＲＴデータ配信（２）＝＝
図２８は、データ配信サーバ１が、自動改札機５の近辺にあり、利用者の嗜好性に応じた推薦ＲＴデータを携帯電話３に配信する流れを示すフローチャートである。
【０１２４】
自動改札機５は、利用者の定期券等に記録されているユーザＩＤを取得する（Ｓ２８０１）。そして、自動改札機５は、当該ユーザＩＤ、自動改札機５の所在地を示す位置データ、利用者の通過方向を示す方向データ、及び利用者の通過時刻等を設定した推薦データ取得要求を生成してデータ配信サーバ１に送信する（Ｓ２８０２）。ここで、方向データとは、利用者が駅から出てきたのか駅に入ったのか等、利用者の進行方向を示すデータである。
【０１２５】
データ配信サーバ１の推薦データ取得要求受信部５３は、自動改札機５から送信されてくる推薦データ取得要求を受信する（Ｓ２８０３）。そして、データ配信サーバ１の嗜好性データ取得部５４は、当該推薦データ取得要求に設定されているユーザＩＤに対応する嗜好性データを嗜好性データ記憶部５９から取得する（Ｓ２８０４）。そして、データ配信サーバ１のリアルタイムデータ送信部５６は、当該嗜好性データ及び当該推薦データ取得要求に設定されている位置データに応じた位置データ及びリアルタイムデータ（推薦ＲＴデータ）をリアルタイムデータ記憶部６２から取得する（Ｓ２８０５）。この推薦ＲＴデータは、利用者が通過した自動改札機５から所定の範囲にあり、かつ、利用者の嗜好性に適合する店舗や施設等の位置データ及びリアルタイムデータである。
【０１２６】
そして、データ配信サーバ１のリアルタイムデータ送信部５６は、当該推薦データ取得要求に設定されているユーザＩＤのメールアドレスをユーザデータ記憶部６０から取得する（Ｓ２８０６）。そして、リアルタイムデータ送信部５６は、Ｓ２８０５で取得した位置データ及びリアルタイムデータを当該メールアドレスに送信する（Ｓ２８０７）。携帯電話３は、データ配信サーバ１から送信されてくる位置データ及びリアルタイムデータを受信し（Ｓ２８０８）、当該位置データ及び当該リアルタイムデータの表示等を行う（Ｓ２８０９）。
【０１２７】
また、リアルタイムデータ送信部５６は、Ｓ２８０５において位置データ及びリアルタイムデータを取得する際に、推薦データ取得要求に設定されている方向データや通過時刻を考慮することもできる。例えば、リアルタイムデータと当該リアルタイムデータを配信すべき時間とが対応付けられてリアルタイムデータ記憶部６２に記憶しておくことにより、利用者の通過時刻に応じたリアルタイムデータを配信することができる。同様に、方向データも対応付けてリアルタイムデータ記憶部６２に記憶しておけば、例えば、駅から出てきた利用者のみに対してリアルタイムデータを配信することができる。
【０１２８】
なお、本処理においても、自動改札機５の近辺にあり、利用者の嗜好性に応じた推薦ＴＶデータを配信することとしてもよい。また、自動改札機５から送信されてくる推薦データ取得要求をデータ配信サーバ１に記憶しておくことにより、駅の利用者数や利用時間帯等を分析し、店舗や施設等の経営に活かすこともできる。
【０１２９】
以上に説明したように、データ配信サーバ１は、携帯電話４から選択データを受信し、車載情報端末２に対して選択データで指定される放送番組で放送された店舗や施設等を紹介するコンテンツデータとコンテンツデータによって紹介される店舗や施設等の所在地を示す位置データとを配信することができる。そして、車載情報端末２には、データ配信サーバ１から送信されてくる位置データに基づいて、利用者が選択した店舗や施設等の位置が地図上にボタン等で表示される。そして、利用者がそのボタンを押下すると、その店舗や施設等のコンテンツデータが表示される。
【０１３０】
このように、利用者は放送番組の視聴時に興味を引く情報があった場合に、携帯電話４やパーソナルコンピュータ等を用いて、視聴した放送番組の情報をデータ配信サーバ１に送信しておくだけで、車載情報端末２で店舗や施設等の位置や詳細な情報を確認することができる。つまり、放送番組で興味を持った店舗や施設等があった場合に、情報誌やインターネットの検索サイト等を用いてその店舗や施設等の場所や詳細な情報を調べる必要がない。また、車載情報端末２に表示された位置を目的地として設定するだけで、その店舗への案内を開始させることができる。
【０１３１】
また、店舗や施設等にとっては、放送番組で紹介されても場所を調べるのが面倒なため行かずじまいになっていた視聴者を新たな顧客として取り込むことができ、売り上げを増やすことができる。そのため、店舗や施設等からテレビ局等の放送事業者に対して広告目的で取材を依頼することが増える。これにより、放送事業者にとっては、店舗や施設等から広告料を得られるとともに、データ配信サーバ１を運営するサービス事業者から番組素材の提供料を得ることができる。そして、サービス事業者は、利用者及び店舗や施設等からサービス利用料を取得することができる。
【０１３２】
また、データ配信サーバ１は、利用者が選択した店舗や施設等の近辺にあり、利用者の嗜好性にあった店舗や施設等のコンテンツデータ及び位置データを車載情報端末２に送信する。これにより、利用者は選択した店舗や施設等を訪問する際に、自分の嗜好性にあった近隣の店舗や施設等へも訪問することができる。
【０１３３】
このように、利用者が放送番組で興味を惹かれた店舗や施設等の近隣にある店舗や施設等の来客数が増え、個々の店舗や施設等の売り上げが増加し、商店街全体が活性化される。また、ある店舗や施設等が放送番組で紹介されると、その近辺の店舗や施設等から放送事業者に対する広告目的での取材依頼が増え、放送事業者の広告収入が増加する。さらには、サービスを利用する店舗や施設等が増加することにより、サービス事業者が得るサービス利用料も増加する。
【０１３４】
また、データ配信サーバ１は、利用者が選択した店舗や施設等の近辺にあり、利用者の嗜好性にあった店舗や施設等のリアルタイムデータ及び位置データを車載情報端末２に送信する。これにより、利用者は選択した店舗の近辺にあり、利用者の嗜好性にあった店舗や施設等の位置及び口コミ情報や、店舗のオーナー等から提供された案内情報、開催予定の催事情報、店舗や施設等の混雑情報・予約情報等を知ることができる。これにより、利用者は選択した店舗や施設等を訪問する際に、自分の嗜好性にあった近隣の店舗や施設等にタイミング良く訪問することができる。
【０１３５】
そのため、利用者が放送番組で興味を惹かれた店舗や施設等の近辺の店舗や施設等の来客数が増え、個々の店舗や施設等の売り上げが増加し、商店街全体が活性化される。また、店舗や施設等が本サービスを利用するユーザに対して積極的に販促情報等を発信することにより、店舗や施設等の魅力が高まり、更なる売り上げ増に繋がる。さらには、サービスを利用する店舗や施設等が増加することによって、サービス事業者が得るサービス利用料も増加する。
【０１３６】
また、データ配信サーバ１は、利用者の位置及び利用者の嗜好性に応じたコンテンツデータ又はリアルタイムデータ並びに位置データを車載情報端末２や携帯電話３に配信することができる。これにより、利用者は目的とする店舗や施設等に向かう経路上にある、自らの嗜好性にあった店舗や施設等の位置や詳細な情報を確認することができる。そして、利用者は目的とする店舗や施設等へ向かう途中で、自らの嗜好性にあった店舗や施設等に立ち寄ることができる。
【０１３７】
そのため、車の通過量が多い幹線道路沿いや人の多い繁華街にあり、コンテンツデータ又はリアルタイムデータがピックアップされる可能性が高い店舗や施設等が、広告目的で放送事業者に対して取材を依頼するようになる。これにより、放送事業者においては、店舗や施設等からの広告収入が増加する。また、店舗や施設等では来客数が増え、売り上げが増加する。さらには、本サービスを利用する店舗や施設等が増加することにより、サービス事業者が得るサービス利用料も増加する。
【０１３８】
また、利用者が位置を特定するためのものとして、情報オブジェを用いることができる。利用者は、情報オブジェに設定されている情報オブジェＩＤを携帯電話３等を用いてデータ配信サーバ１に送信することにより、その情報オブジェに対応する店舗や施設等の情報を得ることができる。
【０１３９】
このような情報オブジェは、本サービスを利用する以前からあるものでよい。そして、情報オブジェＩＤとして番号や名称等を用いることとすれば、店舗や施設等のオーナーは、情報オブジェに番号や名称等を利用者が見ることができるように書いておくだけでよい。そのため、店舗や施設等のオーナーが本サービスを利用するにあたって、位置データを送信するための専用の機器等を購入する必要がなく、サービス加入が促進される。
【０１４０】
また、データ配信サーバ１は、利用者が自動改札機５を通過した際に、自動改札機５の近辺にあり、利用者の嗜好性に応じたリアルタイムデータ又はコンテンツデータ及び位置データを利用者の携帯電話３に配信することができる。このように、利用者は自動改札機５を通過するだけで、その周辺の店舗や施設等の情報をタイミング良く得ることができる。
【０１４１】
そのため、店舗や施設等にとっては、駅の利用者に対して販促情報等を効果的に伝えることができ、来客数の増加及び売り上げの増加に繋がる。そして、本サービスを利用する店舗や施設等が増加することにより、サービス事業者が得るサービス利用料も増加する。
【０１４２】
以上本発明の実施形態について説明したが、以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【０１４３】
例えば、データ配信サーバ１は、車載情報端末２に配信する各種のデータを携帯情報端末や携帯電話等に配信することとしてもよい。同様に、データ配信サーバ１は、携帯電話３に配信する各種のデータを、携帯情報端末等に配信することとしてもよい。また、利用者の位置を取得する装置は、自動改札機５以外に、有料道路のＥＴＣゲートや有料道路のサービスエリアに設置された情報キオスク端末等であってもよい。
【図面の簡単な説明】
【０１４４】
【図１】本発明の一実施形態である情報処理システムのネットワーク構成を示す図である。
【図２】データ配信の概要を示す図である。
【図３】車載情報端末２の電源投入後に表示される画面を示す図である。
【図４】車載情報端末２において表示又は再生されるデータを示す図である。
【図５】情報オブジェの一例を示す図である。
【図６】データ配信サーバ１のハードウェア構成を示す図である。
【図７】車載情報端末２のハードウェア構成を示す図である。
【図８】携帯電話３，４のハードウェア構成を示す図である。
【図９】データ配信サーバ１が備える機能を示す図である。
【図１０】車載情報端末２が備える機能を示す図である。
【図１１】携帯電話４が備える機能を示す図である。
【図１２】コンテンツデータ記憶部６１に記憶されているデータの構造を示す図である。
【図１３】番組指定データとコンテンツデータとの関係を示す図である。
【図１４】リアルタイムデータ記憶部６２に記憶されているデータの構造を示す図である。
【図１５】選択データ記憶部５８に記憶されているデータの構造を示す図である。
【図１６】嗜好性データ記憶部５９に記憶されているデータの構造を示す図である。
【図１７】ユーザデータ記憶部６０に記憶されているデータの構造を示す図である。
【図１８】利用者が興味を惹かれた放送番組に関する情報を入力する際に携帯電話４に表示される画面を示す図である。
【図１９】テレビ放送の受信機能を備える携帯電話４のディスプレイ４５に表示されている放送番組の映像９０を示す図である。
【図２０】テレビ受像器９２に表示されている放送番組の映像９３を示す図である。
【図２１】利用者が情報オブジェを選択する際に携帯電話４に表示される画面を示す図である。
【図２２】データ配信サーバ１が携帯電話４から送信されてくる選択データを受信する流れを示すフローチャートである。
【図２３】データ配信サーバ１が車載情報端末２に選択ＴＶデータを配信する流れを示すフローチャートである。
【図２４】データ配信サーバ１が選択ＴＶデータによって紹介される店舗や施設等の近辺にあり、利用者の嗜好性に合った店舗や施設等の推薦ＴＶデータ及び推薦ＲＴデータを車載情報端末２に配信する処理の流れを示すフローチャートである。
【図２５】データ配信サーバ１が、利用者の位置及び嗜好性に応じた推薦ＴＶデータ及び推薦ＲＴデータを車載情報端末２に配信する流れを示すフローチャートである。
【図２６】データ配信サーバ１が、利用者が選択した情報オブジェに対応する選択ＲＴデータを携帯電話３に配信する流れを示すフローチャートである。
【図２７】データ配信サーバ１が、利用者が選択した情報オブジェの近辺にあり、利用者の嗜好性に応じた推薦ＲＴデータを携帯電話３に配信する処理（Ｓ２６０８）の流れを示すフローチャートである。
【図２８】データ配信サーバ１が、自動改札機５の近辺にあり、利用者の嗜好性に応じた推薦ＲＴデータを携帯電話３に配信する流れを示すフローチャートである。
【符号の説明】
【０１４５】
１  データ配信サーバ                    ２  車載情報端末
３，４  携帯電話                        ５  自動改札
６  ネットワーク                        ７  携帯電話
【図１】
2006012045.tif 000003
【図２】
2006012045.tif 000004
【図３】
2006012045.tif 000005
【図４】
2006012045.tif 000006
【図５】
2006012045.tif 000007
【図６】
2006012045.tif 000008
【図７】
2006012045.tif 000009
【図８】
2006012045.tif 000010
【図９】
2006012045.tif 000011
【図１０】
2006012045.tif 000012
【図１１】
2006012045.tif 000013
【図１２】
2006012045.tif 000014
【図１３】
2006012045.tif 000015
【図１４】
2006012045.tif 000016
【図１５】
2006012045.tif 000017
【図１６】
2006012045.tif 000018
【図１７】
2006012045.tif 000019
【図１８】
2006012045.tif 000020
【図１９】
2006012045.tif 000021
【図２０】
2006012045.tif 000022
【図２１】
2006012045.tif 000023
【図２２】
2006012045.tif 000024
【図２３】
2006012045.tif 000025
【図２４】
2006012045.tif 000026
【図２５】
2006012045.tif 000027
【図２６】
2006012045.tif 000028
【図２７】
2006012045.tif 000029
【図２８】
2006012045.tif 000030